(57)【特許請求の範囲】
【請求項１】
１つのロール胴（１１）と２つのロールネック（１０）を有するロールと、半径方向遊びを有することなくロールネック（１０）の一方を回転不能に収容するための少なくとも１つのネックブッシュ（２０）とを備える、冶金技術において使用するためのロール装置（１００）において、
無負荷状態で、少なくとも１つの部分領域内に、回転対称の環状の中空空間（１２）が、ネックブッシュ（２０）とロールネック（１０）の間に形成されていること、及び、中空空間（１２）が、ロールネック（１０）の外周面（１３）及び／又はネックブッシュ（２０）の内周面（２１）の、回転対称でロール装置（１００）の長手方向軸に沿った縦断面で見て凹の成形部によって拡大されていること、を特徴とするロール装置。
【請求項２】
ロールネック（１０）の外周面及び／又はネックブッシュ（２０）の内周面（２１）は、ロール装置（１００）の長手方向軸に沿った縦断面で見て凹のその成形部の領域内が、少なくとも部分的に直線、サインカーブ、ｎ次の多角カーブ（Ｒ（ｘ））又はこれらの組合せの形態で輪郭付けされていること、を特徴とする請求項１に記載のロール装置。
【請求項３】
ロールネック（１０）の外周面のプロフィル（４０）及び／又はネックブッシュ（２０）の内周面（２１）のプロフィルは、ロール装置（１００）の長手方向軸に沿った縦断面で見て凹のその成形部の領域内が、隣接する２つの部分の間の移行領域において連続的で細分化可能であること、を特徴とする請求項２に記載のロール装置。
【請求項４】
中空空間（１２）の容積は、ネックブッシュ（２０）の変形が弾性領域に留まっている間は、負荷状態での最大軸受負荷が大きくなるほど、大きくなるように形成されていること、を特徴とする請求項１〜３のいずれか１項に記載のロール装置。
【請求項５】
ロールネック（１０）の外周面（１３）とネックブッシュ（２０）の内周面（２１）が、切頭円錐形に形成されていること、を特徴とする請求項１〜４のいずれか１項に記載のロール装置。
【請求項６】
ロールネック（１０）の外周面（１３）とネックブッシュ（２０）の内周面（２１）が、シリンダ状に形成されていること、を特徴とする請求項１〜４のいずれか１項に記載のロール装置。
【請求項７】
ロールが、ロールスタンドで使用するためのバックアップロール又は中間ロール又はワークロールであること、を特徴とする請求項１〜６のいずれか１項に記載のロール装置。
【請求項８】
ロール装置が、更に、軸受ブッシュ（５１）を有する少なくとも１つのチョック（５０）を備え、軸受ブッシュ内に、ネックブッシュ（２０）が、ロールネック（１０）もしくはロールと共に、軸受ブッシュとネックブッシュ（２０）の間の支持油膜（３０）を使用して滑動するように支承されていること、を特徴とする請求項１〜７のいずれか１項に記載のロール装置。
【発明の詳細な説明】
【技術分野】
【０００１】
本発明は、１つのロール胴と２つのロールネックを有するロールと、半径方向遊びを有することなくロールネックの一方を回転不能に収容するための少なくとも１つのネックブッシュとを備える、冶金技術において使用するためのロール装置に関する。
【背景技術】
【０００２】
従来技術から、ロールネックがシリンダ状又は円錐形のネックブッシュ内に収容されたロール装置が公知である。
【０００３】
例えば、圧延機における油膜軸受は、圧下シリンダからの圧延荷重を中継し、この圧延荷重をワークロールに伝達するバックアップロールを支承するために使用される。これは、高負荷を受ける滑り軸受のことであり、これら滑り軸受は、大抵は高いゾンマーフェルト数領域において、即ち比較的低い回転数及び比較的高い負荷の時に作動する。負荷ゾーン内に形成される部分的に１５００ｂａｒ以上までになる非常に高い圧力の場合、圧力負荷を受ける面の弾性変形もしくは扁平化が行なわれる。弾性領域内でのこの扁平化により、例えば圧下シリンダによって加えられる外力の作用方向とは反対に大きい加圧有効面が生じる。従って、軸受は、大きい負荷を支持することができる。この効果は、“弾性流体（ＥＨＤ）負荷能力向上”と呼ばれる。この効果を更に強化するため、いわゆるＭｏｇｏｉｌ−ＫＬＭ（登録商標）軸受が使用されるが、これら軸受は、円錐形に形成された薄肉のネックブッシュを滑り面として備える（米国特許第６，４６８，１９４号明細書又は欧州特許第１  ２１３  ０６１号明細書参照）。
【０００４】
欧州特許第１  ６５１  ８７６号明細書、米国特許第２，９５５，００２号明細書及び仏国特許第２  ４０５  ７６１号明細書には、ロールネックに装着されたそのネックブッシュが、チョック内に配置された軸受ブッシュによって包囲された、ロールネックのための油膜軸受が記載されている。
【０００５】
欧州特許第１  ６５１  ８７６号明細書には、ロールネックに装着されたそのネックブッシュが、チョック内に配置された軸受ブッシュによって包囲された、ロールネックのための油膜軸受が記載されている。
【０００６】
独国特許出願公告第６０３  ０３  ０５２号明細書から、ロールネックのネック面を回転可能に支持するためのシリンダ状のブッシュを有し、ブッシュが、潤滑剤を収容するために凹部を備えている、圧延機において使用するための油膜軸受が公知である。
【０００７】
独国特許出願公告第３８  ７６  ６６３号明細書には、流体潤滑膜上に回転する軸受を支持するためのシリンダ状のブッシュが記載されている。
【０００８】
【特許文献１】米国特許第６，４６８，１９４号明細書
【特許文献２】欧州特許第１  ２１３  ０６１号明細書
【特許文献３】欧州特許第１  ６５１  ８７６号明細書
【特許文献４】独国特許出願公告第６０３  ０３  ０５２号明細書
【特許文献５】独国特許出願公告第３８  ７６  ６６３号明細書
【特許文献６】米国特許第２，９５５，００２号明細書
【特許文献７】仏国特許第２  ４０５  ７６１号明細書
【先行技術文献】
【特許文献】
【０００９】
【特許文献１】米国特許第６，４６８，１９４号明細書
【特許文献２】欧州特許第１  ２１３  ０６１号明細書
【特許文献３】欧州特許第１  ６５１  ８７６号明細書
【特許文献４】独国特許出願公告第６０３  ０３  ０５２号明細書
【特許文献５】独国特許出願公告第３８  ７６  ６６３号明細書
【非特許文献】
【００１０】
【非特許文献１】Ｎｅｗｓｌｅｔｔｅｒ  ０１／２００９，ＳＭＳ  Ｇｒｏｕｐ，第１６年度刊第１号、２００９年４月、５０〜５１ページ
【発明の概要】
【発明が解決しようとする課題】
【００１１】
本発明の根底にある課題は、ロール装置の構造サイズもしくは組込みサイズを拡大することなく、ロール装置の負荷能力を更に向上させることにある。
【課題を解決するための手段】
【００１２】
この課題は、本発明によれば請求項１の特徴によって解決される。本発明は、１つのロール胴と２つのロールネックを有するロールと、半径方向遊びを有することなくロールネックの一方を回転不能に収容するための少なくとも１つのネックブッシュを備える、冶金技術において使用するためのロール装置を説明する。このロール装置は、特に、無負荷状態で、環状の中空空間が、ネックブッシュとロールネックの間に形成されていることを特徴とする。
【００１３】
中空空間は、最大軸受荷重に依存して正確に予め寸法設定されている。環状の中空空間は、環状の中空プロフィルの意味の回転対称のリング間隙の形態で、ロール装置の長手方向軸に対して垂直な平面内に形成されている。
【００１４】
第１の実施例によれば、中空空間が、ロールネックの外周面及び／又はネックブッシュの内周面における、回転対称の凹の成形部によって拡大されている。
【００１５】
本発明の別の形成では、ロールネックの外周面及び／又はネックブッシュの内周面は、ロール装置の長手方向軸に沿った縦断面で見て凹のその成形部の領域内が、少なくとも部分的に直線、サインカーブ、ｎ次の多角カーブＲ（ｘ）又はこれらの組合せの形態で輪郭付けされている。半径方向遊びを有しないロールネック上のネックブッシュのための安定した軸受座を保証するため、ネックブッシュとロールネックは、軸方向に中空空間に隣接して、互いに隣接する支持面を備える。
【００１６】
更に、ロールネックの外周面の輪郭又はネックブッシュの内周面の輪郭は、ロール装置の長手方向軸に沿った縦断面で見て凹のその成形部の領域内が、隣接する２つのプロフィル部分の間の移行領域において連続的で細分化可能である。これにより有利には、特に負荷を受けた場合、互いに向かって作用するネックブッシュとロールネックの周面における窪み箇所、例えば溝の形成を回避するために、プロフィルの個々のプロフィル部分の間に、エッジのないスムーズな移行部が得られる。これにより有利には、生じ得るノッチ作用の欠点に反作用が加えられる。
【００１７】
更に、ロールネックの外周面の輪郭又はネックブッシュの内周面の輪郭は、ロール装置の長手方向軸に沿った縦断面で見て凹のその成形部の領域が、軸方向の軸受荷重の分布と相関しているので、負荷下で局所的にネックブッシュのその弾性領域内でのできるだけ大きい扁平化が得られ、この扁平化は、構造サイズが変更されない時のロール装置の負荷能力を拡大する。
【００１８】
更に、ロールネックの外周面の輪郭又はネックブッシュの内周面の輪郭は、ロール装置の縦断面で見て凹のそのキャビティの領域が、軸方向の軸受荷重の分布と相関しているので、負荷下で局所的にネックブッシュのその弾性領域内でのできるだけ大きい扁平化が得られ、この扁平化は、構造サイズが変更されない時のロール装置の負荷能力を拡大する。
【００１９】
更に、本発明では、ロールネックの外周面とネックブッシュの内周面が、相補的に切頭円錐形に形成されている。有利には、ネックブッシュは、円錐を介して容易にロールネックに取り付けることもしくは再び取り外すことができる。
【００２０】
本発明による装置の好ましい選択的な実施形態の場合は、ロールネックの外周面がシリンダ状に形成され、ネックブッシュの内周面が、相補的にシリンダ状に形成されている。この場合有利には、半径方向遊びを有しない摩擦係合式の結合部を形成するために焼嵌めされる。
【００２１】
更に、本発明では、ロールが、ロールスタンドで使用するためのバックアップロール又は中間ロール又はワークロールである。
【００２２】
別の実施例によれば、ロール装置が、軸受ブッシュを有する少なくとも１つのチョックを備え、軸受ブッシュ内に、ネックブッシュが、ロールネックもしくはロールと共に、軸受ブッシュとネックブッシュの間の支持油膜を使用して滑動するように支承されている。
【００２３】
全体として、本発明によるロール装置によって、既存の組込みスペースを変更する必要なしに支承部の負荷能力向上もしくは能力向上を得るために、例えば圧延装置内の既存のロール装置を本発明によるロール装置によって置換もしくは交換する単純かつ安価な可能性が得られる。本発明によるロール装置は、簡単に取り付けることができる。修理時には、単純かつ迅速な交換が可能である。
【００２４】
本発明の別の利点及び詳細は、従属請求項及び図に図示した本発明の実施形態を詳細に説明する後続の説明からわかる。この場合、前で述べた特徴の組合せ以外に、単独の特徴又は他の組合せの特徴も本発明にとって重要である。
【００２５】
本発明を以下で図１〜４に関係させて詳細に説明する。
【図面の簡単な説明】
【００２６】
【図１】ロールとプロフィル形成されたシリンダ状のネックブッシュ
【図２】ロールとプロフィル形成された円錐形のネックブッシュ
【図３】ロールネックの外周面及び／又はネックブッシュの内周面のための異なったプロフィル経過（３ａ〜３ｃ）
【図４】ネックブッシュの弾性変形を図示する、最大の中空空間の領域の断面図
【発明を実施するための形態】
【００２７】
ネックブッシュ２０の内周面２１及び／又はロールネックの外周面は、例えば旋盤加工又は研削盤加工によって形成された以下ではプロフィル４０とも呼ばれる凹の輪郭を備えている。プロフィル４０は、ネックブッシュ２０の縦断面で見て凹のその成形部の領域が、少なくとも部分的に直線、サインカーブ、ｎ次の多角カーブＲ（ｘ）又はこれらの組合せの形態で輪郭付けされている。しかしながらまた、プロフィル４０は、放物線状のカーブの形態を描くことができる。
【００２８】
凹のカーブ経過もしくは成形部により、ネックブッシュ２０又はロールネック１０に凹部が構成され、これら凹部は、ロールネック１０上にネックブッシュ２０が装着された時に、無負荷状態で、半径方向に囲繞する回転対称の中空空間１２を、ネックブッシュ２０とロールネック１０の間に形成する。中空空間１２は、回転対称の環状の中空プロフィルの意味のリング間隙の形態で形成されている。ネックブッシュ２０の外周面２２とロールネック１０の外周面１３は、示した図１による図において模範的にシリンダ状に形成されている。
【００２９】
凹のカーブ経過もしくはキャビティにより、ネックブッシュ２０又はロールネック１０に凹部が構成され、これら凹部は、ロールネック１０上にネックブッシュ２０が装着された時に、無負荷状態で、半径方向に囲繞する回転対称の中空空間１２を、ネックブッシュ２０とロールネック１０の間に形成する。中空空間１２は、回転対称の環状の中空プロフィルの意味のリング間隙の形態で形成されている。ネックブッシュ２０の外周面２２とロールネック１０の外周面１３は、示した図１による図において模範的にシリンダ状に形成されている。
【００３０】
前で説明したプロフィル４０をロールネック１０の外周面に配置し、ネックブッシュ２０の内周面２１をシリンダ状に形成することを行なうことができる。前記プロフィル４０は、同時にネックブッシュの内周面とロールネックの外周面とに、特に向い合せに形成することもできる。
【００３１】
ロールネック１０上に装着する時のネックブッシュ２０の装着位置を制限するために、ロール胴１１の端面とネックブッシュ２０の間に、ストッパ２５を有するスペーサリング２８が配置されている。選択的に、ロール胴１１は、端面側に、ロール胴と一体的に形成された、ストッパ２５としての突起（図示してない）を備えることもできる。ネックブッシュ２０は、ロールネック１０上に装着した後、ロールネック１０を支承するために選択的に配置されたスラスト軸受を介した加圧ショルダリング１７とナット１８とによって軸方向ｘにスペーサリング２５に対して締め付けられ、軸方向に移動しないように固定され、ロールネックは、その端部に加圧ショルダリング１７を収容するためにハブ突起２６を備え、これに続き、ナット１８を収容するためのネジ付ピン２７を備えている。図１及び２には、概略的にだけ、加圧ショルダリング１７とナット１８の間のスラスト軸受−インナリング１６が図示されている。ナット１８は、付加的に回転防止装置１９、例えばロックナットによって解離しないように固定することができる。
【００３２】
シリンダ状のネックブッシュの肉厚ｄは、更に以下で説明する選択的な回転対称の凹の成形部を考慮せずに、１０ｍｍ〜７５ｍｍである。
【００３３】
シリンダ状のネックブッシュの肉厚ｄは、更に以下で説明する選択的な回転対称の凹のキャビティを考慮せずに、１０ｍｍ〜７５ｍｍである。
【００３４】
加えて、ロールネック１０と共にネックブッシュ２０を収容するための軸受ブッシュ５１を有する少なくとも１つのチョック５０を設けることができ、チョック５０の軸受ブッシュ５１とネックブッシュ２０の外周面２２の間に支持油膜３０が設けられている。この装置は、油膜軸受部とも呼ばれる。好ましい形成では、軸受ブッシュ５１の内周面が、軸受メタルライニング、例えばホワイトメタルでコーティングされている。
【００３５】
図２の図による他の形成では、ロールネック１０が、切頭円錐形に形成されている。ネックブッシュ２０の内周面２１は、切頭円錐形のロールネック１０の（プロフィルを有しない）理想線に対して相補的に形成されている。この場合、前で説明したように、ネックブッシュの内周面２１及び／又はロールネックの外周面１３におけるプロフィル４０が設けられている。
【００３６】
このバリエーションの場合、ネックブッシュ２０は、ネックブッシュ２０とロールネック１０の間の半径方向の遊びが除去されるまで、ロールネック１０に装着されている。引き続き、ネックブッシュ２０は、前で図１に対して説明したように、予荷重を与えられ、移動しないように固定されている。
【００３７】
半径方向遊びを有しないロールネック１０上のネックブッシュ２０のための安定した軸受座を保証するため、ネックブッシュ２０とロールネック１０は、軸方向に隣接して中空空間に対する両側に、互いに隣接する支持面１４を備える。
【００３８】
円錐形のネックブッシュ２０の肉厚ｄは、その薄い端部において１０ｍｍ〜７５ｍｍである。
【００３９】
ネックブッシュ２０とロールネック１０の間には、マイクロ摩擦によるマイクロ冷間圧接を回避するために、付加的に潤滑膜３１が配置されている。ロールネック１０又はネックブッシュ２０におけるプロフィル４０は、この円錐形の実施形態の場合、前で図１に対して説明したように形成されている。
【００４０】
図３ａ及び３ｂは、ロールを有するロール装置１００と、ロールネック１０の一方を遊びなく回転不能に収容するための少なくとも１つのネックブッシュ２０とを原理的に説明する。この場合、ロールネック１０の外周面１３とネックブッシュ２０の内周面２１は、シリンダ状又は切頭円錐形に形成することができ、それぞれの周面１３，２１は、互いに相補的に形成され、半径方向遊びを有することなく互いに隣接する。
【００４１】
図３ｃの図によるネックブッシュ２０の内周面２１及び／又はロールネック１０の外周面１３のプロフィル４０は、模範的に、ｎ次の数学関数Ｒ（ｘ）の異なった可能性を説明するが、これらは、負荷の場合に応じて他のプロフィルと組み合わせても使用可することができる。プロフィル部分を互いに組み合わせた時の均等なエッジなしの移行部を保証するため、プロフィル４０は、隣接する２つのプロフィル部分の間の移行領域が、連続的で細分化可能に形成されている。図３ｃに図示したカーブ経過が、実際に実行可能なプロフィルを説明するものではないことを述べておく。図示した多数のカーブ部分もしくはプロフィル部分は、異なった可能なプロフィルバリエーションを概略的に図示するために使用されるに過ぎない。
・機能方式
本発明の機能方式を、以下で図４に関係させて詳細に説明する。
【００４２】
プロフィル４０から生じる、ネックブッシュ２０とロールネック１０の間の本発明による回転対称の中空空間１２により、ネックブッシュ２０とロールネックの間に拡大された自由空間が生じ、この自由空間内へ、ネックブッシュ２０は、力作用の場所で膨張することができる。
【００４３】
具体的には、ロールスタンドでの圧延モードで、少なくとも実質的に垂直方向上方へ向いた圧延荷重ＦＷが、上の（バックアップ）ロールに加えられ、これに対して同時に少なくとも実質的に垂直方向下方へ向いた圧延荷重ＦＷが、下の（バックアップ）ロールに加えられる。これら圧延荷重は、ロール胴からそれぞれ半分だけロールネックに伝達され、これにより、上のチョック内のロールネックが上方へ、下のチョック内のロールネックが下方へ押し付けられる。
【００４４】
圧延荷重は、作用連鎖に従いロールネックから更にネックブッシュ、ネックブッシュと軸受ブッシュの間の支持油膜及び軸受ブッシュを介してチョックに伝達される。チョックから、圧延荷重は、更にチョックを支承するロールスタンド内へ導出される。
【００４５】
チョック及びチョック内に支承された軸受ブッシュは、理想化して圧延荷重に対して非可撓性及び非圧縮性であると見なすべきである。即ち、チョック及び軸受ブッシュは、これらがそれぞれ値的には同じであるが反対向きの軸受荷重ＦＬ（リアクション）を対向させることによって、これらに作用するそれぞれ半分の圧延荷重ＦＷ／２を（アクション）を完全に受け止める。
【００４６】
既に僅かな圧延荷重ＦＷによる圧延モード中のロールネックへの作用が、ロールネック１０をネックブッシュ２０と共に圧延荷重ＦＷの方向に支持油膜３０に押し付け、支持油膜を軸受けブッシュ５１及びチョックに押し付けることを生じさせる（図２）。しかしながらこの場合、ネックブッシュ２０は、非圧縮性の支持油膜３０に衝突し、この支持油膜自身は、非可撓性の軸受ブッシュ５１及び非可撓性のチョック５０によって、圧延荷重の方向への回避を阻止される。従ってその結果、ネックブッシュは、対立する軸受荷重ＦＬによって、圧延荷重の方向への回避を阻止されている。
【００４７】
ネックブッシュ２０自身は、本発明による中空空間１２と関係して、ロールネック１０へ向かって、前で示した（圧延）荷重の作用連鎖における最弱の成分である。
【００４８】
ネックブッシュ２０が圧延荷重を回避することができないので、圧延モード中に負荷を受けた場合は、ネックブッシュ２０を弾性変形させる。ネックブッシュ２０は、圧延荷重ＦＷ／２もしくは反対向きの軸受荷重ＦＬによって−当初の−中空空間１２内へ変形され、この場合扁平化される。扁平化は、最大で、ネックブッシュ２０がロールネック１０に押し付けられ、このロールネックによって支持されるまで行なわれる。ネックブッシュ２０は、局所的に、弾性的にロールネックのプロフィル４０に適合し、除荷後再び当初の状態に変形する。扁平化により、ネックブッシュ２０と軸受ブッシュ５１の間の加圧有効面が拡大される。ネックブッシュ２０と軸受ブッシュ５１の間に、支持油膜３０が配置され、この支持油膜は、いわゆる流体油膜軸受部を構成する。本発明によるロール装置は、加圧有効面の拡大に基づいて、ネックブッシュと軸受ブッシュの間の流体油膜軸受部の負荷能力を向上させる。
【００４９】
現実では、圧延荷重もしくは軸受荷重は、点状又は線状ではなく、山状荷重の形態で作用する。山状荷重は、周方向及び軸方向に面状の広がりを有する。ネックブッシュの扁平化とこれに結び付いた加圧有効面の拡大により、面状に広がりを有する山状荷重のためのロール装置の明らかな負荷能力の向上が得られる。
【００５０】
本発明によるロール装置は、また、ネックブッシュが無負荷状態で既に例えば収縮による予荷重により摩擦係合式にロールネックと結合されたロール装置に対して明らかに多く負荷を受け得る。ネックブッシュの弾性的な扁平化のために必要な力の作用は、本発明による中空空間に基づいて、軸受ブッシュとネックの間に予荷重付与部を有する構造の場合よりも少ない。予荷重を受ける構造の場合、同じネックブッシュの変形を実現するために、より大きい力が必要である。
【００５１】
換言すれば以下のようである：
ネックブッシュ２０の比較的薄い肉厚のために、ネックブッシュ２０の内周面２１における負荷下の変形は、変わりなく、即ち同じ方向に、ネックブッシュ２０の外周面２２において生じ、これにより、力の作用とは反対のネックブッシュ２０と軸受ブッシュ５１の間の加圧面の拡大／拡幅を生じさせる。これが更にまた、潤滑膜圧力の均等な分布を生じさせるので、より大きい力が受け止められ、より広く分布させることができ、支持油膜３０内でのピーク圧力が、軸受ブッシュのもしくは軸受ブッシュの軸受メタルライニングの材料の限界値を上回ることはない。従って、本発明による装置は、ネックブッシュ２０と軸受ブッシュ５１の間の流体潤滑膜もしくは油膜軸受部の負荷能力を向上させる。
【符号の説明】
【００５２】
１００      ロール装置
１０        ロールネック
１１        ロール胴
１２        中空空間
１３        ロールネックの外周面
１４        平坦な支持面
１５        中心軸
１６        スラスト軸受−インナリング
１７        加圧ショルダリング
１８        ナット
１９        ロックナット
２０        ネックブッシュ
２１        ネックブッシュの内周面
２２        ネックブッシュの外周面
２３        ドグ要素
２５        ストッパ
２６        ハブ突起
２７        ネジ付ピン
２８        スペーサリング
３０        支持油膜
３１        潤滑膜
４０        プロフィル
４４        圧力分布−従来技術
４６        最適化された圧力分布
５０        チョック
５１        軸受ブッシュ
Ｒ（ｘ）    数学関数としてのプロフィル
ｘ          軸方向の座標
ＦＷ        圧延荷重
ＦＬ        軸受荷重
ｔ          プロフィルの深さ
ｄ          ネックブッシュの肉厚
【図１】
0005823654.tif 000002
【図２】
0005823654.tif 000003
【図３ａ−３ｃ】
0005823654.tif 000004
【図４】
0005823654.tif 000005